(57)【要約】【課題】変形可能なマウスを提供する。【解決手段】第一ケース、第二ケース、及び第一ケースと第二ケースを接続するためのコネクタ部材からなる。第二ケースは第一ケースに対して回転し、マウスの外形を変えることができる。【選択図】図１
2008171376.tif 000002
【特許請求の範囲】
【請求項１】
変形マウスは、
第一傾斜面、第一溝口及び位置決め孔からなる第一ケースと、
第二傾斜面、第二溝口及び位置決めピンからなる第二ケースと、
前記第一ケースと第二ケースを接続し、前記第一ケースが前記第二ケースに対して回転するためのコネクタ部材を含み、
前記コネクタ部材はさらに
第一支持フレーム及び第二支持フレームからなる結合支持フレームであって、前記第一支持フレームは第一支持フレーム用の貫通孔を有し、前記第二支持フレームは第二支持フレーム用の貫通孔を有し、且つ前記第一支持フレーム用の貫通孔と前記第二支持フレーム用の貫通孔が整合するものと、
前記第一支持フレーム用の貫通孔及び第二支持フレーム用の貫通孔を貫通する回転シャフトと、
前記回転シャフトに嵌め込む螺旋状のスプリングと、
ストッパーであって、ストッパーの貫通孔を有し、前記回転シャフトをその中に貫通させると共に、前記ストッパーと前記螺旋状のスプリングが接触し合うものを含むことを特徴とする変形マウス。
【請求項２】
前記第一支持フレームは前記第一傾斜面の前記第一溝口に設置し、前記第二支持フレームは前記第二傾斜面の前記第二溝口に設置することを特徴とする請求項１に記載する変形マウス。
【請求項３】
前記螺旋状のスプリングは前記ストッパーと前記第二支持フレームの間にあることを特徴とする請求項１に記載する変形マウス。
【請求項４】
前記第一ケースはさらに
前記第一支持フレームを前記第一ケースに固定するための第一スロットを含み、
前記第二ケースはさらに
前記第一支持フレームを前記第一ケースに固定するための第二スロットを含むことを特徴とする請求項１に記載する変形マウス。
【請求項５】
前記第二ケースの前記位置決めピンは前記第一ケースの位置決め孔に嵌め込むことを特徴とする請求項1に記載する変形マウス。
【請求項６】
前記回転シャフトはさらに回転シャフト孔を含むことを特徴とする請求項１に記載する変形マウス。
【発明の詳細な説明】
【技術分野】
【０００１】
本発明はマウス装置に関し、特に変形可能なマウス装置に関する。
【背景技術】
【０００２】
近頃、パソコンの機能は日増しに多様化しており、初期の頃に散見されたワープロ機能以外に、今日のパソコンは短信或いはアミューズメント手段としても利用されている。
【０００３】
パソコン機能の多様化に対応するために、従来のマウスはカーソル制御機能を提供する他に、特別な機能キーを取り付けて短信を行なったり、映像音楽制御用のリモコンとしたりしている。
【０００４】
パソコンがカーソル制御装置として使用される際、ユーザーは机上でカーソル移動を制御するためにマウスを移動させる。また、マウスがリモコンとされる際は、ユーザーは掌でマウスを握り持ってコントロールキーを押下して操作指令を入力する。
【０００５】
マウスとリモコンの二種類の使用モデルでは、ユーザーのマウスの外形へのニーズは異なるのである。マウスを机上で移動させてカーソル移動を制御する際、掌と接触するマウスの表面は水平であってはならず、掌で支える力が出せるように角度をつけた表面でなければならない。また、マウスがリモコンとして使用される際は、ユーザーはマウスに従来のリモコンに類似した扁平な外形であることを求めている。
【０００６】
換言すると、上記のマウスに具わった二種類の機能は、実際にはマウスの外形の薄型化への制約となっている。その原因はマウスケースを薄くし過ぎると、ユーザーが机上でマウスを移動させる際、人間工学に合致しないことにある。人間工学に合致させてマウスを握る面の角度を大きくしてマウスの高さを高くすると、マウスがリモコンとされる際の手に持った感覚がよくないのである。このため上記の問題を解決すべく新しいマウスが必要となる。
【発明の開示】
【発明が解決しようとする課題】
【０００７】
本発明の目的はマウスケースを回転させることによりマウスの外形を変えた変形マウスを提供することにある。
【課題を解決するための手段】
【０００８】
好ましい実施例において、本発明は、第一傾斜面、第一溝口及び位置決め孔からなる第一ケースと、第二傾斜面、第二溝口及び位置決めピンからなる第二ケースと、第一ケースと第二ケースを接続し、第一ケースが第二ケースに相対して回転するためのコネクタ部材を含み、コネクタ部材はさらに第一支持フレーム及び第二支持フレームからなる結合支持フレームであって、第一支持フレームは第一支持フレーム用の貫通孔を有し、第二支持フレームは第二支持フレーム用の貫通孔を有し、且つ第一支持フレーム用の貫通孔と第二支持フレーム用の貫通孔が整合するものと、第一支持フレーム用の貫通孔及び第二支持フレーム用の貫通孔を貫通する回転シャフトと、回転シャフトに嵌め込む螺旋状のスプリングと、ストッパーであって、ストッパーの貫通孔を有し、回転シャフトをその中に貫通させると共に、ストッパーと螺旋状のスプリングが接触し合うものを含むことを特徴とする変形マウスを提供する。
【０００９】
好ましい実施例において、第一支持フレームは第一傾斜面の第一溝口に設置し、第二支持フレームは第二傾斜面の第二溝口に設置する。
【００１０】
好ましい実施例において、螺旋状のスプリングはストッパーと第二支持フレームの間にある。
【００１１】
好ましい実施例において、第一ケースはさらに第一支持フレームを第一ケースに固定するための第一スロットを含み、第二ケースはさらに第一支持フレームを第一ケースに固定するための第二スロットを含む。
【００１２】
好ましい実施例において、第二ケースの位置決めピンは第一ケースの位置決め孔に嵌め込む。
【００１３】
好ましい実施例において、回転シャフトはさらに回転シャフト孔を含む。
【発明を実施するための最良の形態】
【００１４】
上記の従来の技術で述べたように、マウスとリモコンの二種類の使用モデルを兼用するために、本発明は最初の外形においてはリモコンとして使用するのに適した、また別の種類の外形においてはマウスとしての使用に適した変形マウスを提示する。
【００１５】
図１(a),(b)は本発明の好ましい実施例の構造分解図である。変形マウス１０は、第一ケース１００、第二ケース２００及びコネクタ部材３００からなる。第一ケース１００は第一斜面１０１、第一溝口１０２、第一スロット１０３及び位置決め孔１０４からなる。また、第二ケース２００は、第二傾斜面２０１、第二溝口２０２、第二スロット２０３及び位置決め孔２０４からなる。コネクタ部材３００については結合支持フレーム３０１、第一支持フレーム３０２、第二支持フレーム３０３、回転シャフト３０６、螺旋状のスプリング３０８及びストッパー３０９からなる。第一支持フレーム３０２は第一支持フレーム貫通孔３０４を有し、第二支持フレーム３０３は第二支持フレーム貫通孔３０５を有し、回転シャフト３０６は回転シャフト孔３０７を有し、またストッパー３０９はストッパー孔３１０を有する。
【００１６】
図１(a)では、第一ケース１００は第一傾斜面１０１を有し、第一傾斜面１０１上には第一溝口１０２が有り、また図１(b)で示すように、第一スロット１０３は第一溝口１０２の内側にあり、位置決め孔１０４は第一傾斜面１０１の外側にある。図１(b)では、第二ケース２００は第二傾斜面２０１を有し、第二傾斜面２０１上に第二溝口２０２があり、また図１(a)で示すように、第二スロット２０３は第二溝口２０２の内側にあり、位置決めピン２０４は第二傾斜面２０１の外側にある。本実施例では、第一ケース１００は光学センサー及び回路基板などの設備に用い、第二ケース２００は電池をセットするための電池収納室とする。
【００１７】
図２で示すように、第一ケース１００、第二ケース２００及びコネクタ部材３００を結合させており、図２は本発明の好ましい実施例の構造概略図である。コネクタ部材３００の第一支持フレーム３０２は第一ケース１００の第一スロット１０３に取り付けられ、また位置決めピン２０４（図１(a)）は位置決め孔１０４（図１(b)）に嵌め込んで、第一ケース１００及び第二ケース２００を固定させ、第二ケース２００が第一ケース１００に対して回転するのを防止する。引き続き第一ケース１００及び第二ケース２００を接続するコネクタ部材３００にいて説明する。
【００１８】
図３は本発明のコネクタ部材の構造概略図である。コネクタ部材３００は、第一支持フレーム３０２の第一支持フレーム貫通孔３０４は第二支持フレーム３０３の第二支持フレーム貫通孔３０５にきっちり合わせると、回転シャフト３０６を第一支持フレーム貫通孔３０４及び第二支持フレーム貫通孔３０５を貫通させることができる。続いて螺旋状のスプリング３０８を回転シャフト３０６に嵌めて、最後に回転シャフト３０６をストッパー３０９のストッパー用の貫通孔３１０に貫通させて、ストッパー３０９を回転シャフト３０６上に固定させる。そのうち、ストッパー３０９と回転シャフト３０６はリベット方式で接続し、また螺旋状のスプリング３０８は第二支持フレーム３０３とストッパー３０９の間にある。コネクタ部材３００は第一ケース１００と第二ケース２００を接続するのに用いられ、そのうち、図２で示すように、コネクタ部材３００の第一支持フレーム３０２は第一溝口１０２を貫通させて、第一ケース１００の第一スロット１０３の中に設置する。第二支持フレーム３０３は第二溝口２０２を貫通して第二ケース２００の第二スロット２０３の中に設置される。フレームをスロットの中に固定した上に、ケースのフレームへの押下力により、ネジでフレームを傾斜面に固定する必要がない。このほか、本発明はコネクタ部材３００の設置方向（回転シャフト３０６を第一ケース１００に近接した方向に設ける）が限定されず、コネクタ部材３００の設置方向を変える（回転シャフト３０６を第二ケース２００に近接した方向に設ける）こともできる。
【００１９】
支持フレーム３０１と回転シャフト３０６を接続して第二ケース２００が第一ケース１００に対して回転する能力を提供する。螺旋状のスプリング３０８で結合支持フレーム３０１中の第一支持フレーム３０２を第二支持フレーム３０３とを分かつことができる。コネクタ部材３００は第一ケース１００と第二ケース２００に取り付けられ、螺旋状のスプリング３０８で第一ケース１００の第一支持フレーム３０２と第二ケース２００の第二支持フレーム３０３を分かつことができ、即ち、第一ケース１００と第二ケース２００とを別々にすることができる。このうち、位置決めピン２０４は第一ケース１００と第二ケース２００が分れるのにつれて位置決め孔２０４から離れる。ストッパー３０９は回転シャフトを係合するのに用いられ、コネクタ部材３００がバラバラになるのを防止する。
【００２０】
図４は本発明の変形マウスが１８０度回転した構造概略図である。第一ケース１００に対して、第二ケース２００が１８０度回転した後、位置決めピン２０４（図未提示）はまだ位置決め孔１０４（図未提示）と結合している。図２では、元々扁平な外形である変形マウス１０は１８０度回転したことにより角度に突起を生じてユーザーの掌を支える。
【００２１】
図５(a),(b),(c),(d)は本発明の変形マウスの操作概略図である。変形マウス１０がパソコンのカーソル制御のための机上移動をしない場合は、図５(a)で示すように、第一ケース１００の第一傾斜面１０１と第二ケース２００の第二傾斜面２０１とは相互に接触して、変形マウス１０は扁平の外形を呈する。
【００２２】
ユーザーがマウスを机上で移動させようとする場合、第二ケース２００を第一ケース１００と反対方向に開くことができ、図５(b)のように、この時螺旋状のスプリング３０８は圧縮状態にあり（図５(b)の局部拡大図で示す）、位置決めピン２０４を位置決め孔１０４から離して、位置決めピン２０４が位置決め孔１０４と接触しなくなると、第二ケース２００を回転させることができ、その第二ケース２００の回転状況は図５(c)で示している。第二ケース２００が１８０度回転し終えると、第二ケース２００が第一ケース１００を引き離す作用力が消失し、この時螺旋状のスプリング３０８は圧縮を解除して伸展状態に戻り、第二ケース２００は第一ケース１００の方向へ移動し、位置決めピン２０４を再度位置決め孔１０４の中に挿入し、第一ケース１００の第一傾斜面１０１と第二ケース２００の第二傾斜面２０１は再び接触して一緒になり、第二傾斜面２０１が既に１８０度回転しているので、このときの第一傾斜面１０１と第二傾斜面２０１とでマウスの外形に突起を生じ、図５(d)の点線箇所で示すように、ユーザーは掌をこの突起のある表面に置いてマウスの操作制御を行なうことができる。
【００２３】
当然ながら、ユーザーが使用したくないと思えば、第二ケース２００をまた１８０度回転させて、マウスを扁平の外形に戻すことができる。
【００２４】
再び図２に戻り、回転シャフト３０６の回転シャフト孔３０７は第二ケース２００の導線（図未提示）を貫通させるためのものであり、第一ケース１００中の部材（図未提示）に接続し、第一ケース１００と第二ケース２００との間の電気的接続の役目を果たす。このため第二ケース２００は単一方向の回転のみ可能であり、例えば扁平外形をした変形マウス１０は、第二ケース２００に対して時計周りに回転してマウスモデルに形を変え、変形マウス１０を扁平の外形に戻そうと思えば、第二ケース２００に対して時計と逆周りに回転させなければならない。こうした原因は、回転シャフト３０６の回転シャフト孔３０７に導線を通し、第二ケース２００が回転する際に、回転シャフト３０６も同時に回転してしまい、このとき回転シャフト孔３０７の導線にねじり巻き現象が起きるからで、導線がねじれて破損しないように、元の回転方向と反対の方向になるように第二ケース２００に対して回転し、回転シャフト孔３０７の導線がねじれることなく原状に戻すようにしたことにある。
【００２５】
本発明は扁平外形をしたリモコンモデルと人間工学に合致したマウスモデルとを兼備し、斜面に取り付けた位置決めピン並びに位置決め孔で第一ケースと第二ケースを尚一層堅固に結合させて第二ケースが勝手に回転しないようにしている。また、位置決めピンと位置決め孔の位置決め効果がさらなる製造許容誤差を認めていることで、第一ケースと第二ケースの隙間は安定状態が保てるのである。このほか、本発明は結合支持フレームの第一支持フレーム及び第二支持フレームをそれぞれ第一スロット及び第二スロットに設置し、また、ケースの支持フレームに対する押下力で、第一支持フレームを第一ケースに固定し、さらに第二支持フレームも第二ケースに固定されるので、ネジを使用しなくても結合部材をケースに固定することができるのである。
【００２６】
以上の記述は本発明の好ましい実施例に過ぎず、これをもって本発明の実施範囲を限定するものではなく、故に本発明で開示した趣旨を逸脱しない範囲において完成した等価変更若しくは補正は、全て本案における特許申請の範囲内に含まれるものとする。
【図面の簡単な説明】
【００２７】
【図１】(a),(b)は本発明の好ましい実施例の構造分解図である。
【図２】本発明の好ましい実施例の構造概略図である。
【図３】本発明のコネクタ部材の構造概略図である。
【図４】本発明の変形マウスが１８０度回転した構造概略図である。
【図５】(a),(b),(c),(d)は本発明の変形マウスの操作概略図である。
【符号の説明】
【００２８】
１０    変形マウス
１００、２００    ケース
１０１、２０１    傾斜面
１０２、２０２    溝口
１０３、２０３    スロット
１０４    位置決め孔
２０４    位置決めピン
３００    コネクタ部材
３０１、３０２、３０３    支持フレーム
３０４、３０５    貫通孔
３０６    回転シャフト
３０７    回転シャフト孔
３０８    螺旋状のスプリング
３０９    ストッパー
３１０    ストッパー用の貫通孔
【図１】
2008171376.tif 000003
【図２】
2008171376.tif 000004
【図３】
2008171376.tif 000005
【図４】
2008171376.tif 000006
【図５】
2008171376.tif 000007